(57)【要約】【課題】架空送電線鉄塔の、例えば、充電部付近に付着した付着物を除去するに際し、外部から駆動軸の状況を視認し且つ把握することができ、活線での作業中における電気事故の発生を確実に阻止することができると共に、付着物を挟んでこれを除去する際に、当該付着物を不用意に落下させてしまう事態の発生を未然に防止できる架空送電線保守用活線工具を提供する。【解決手段】本発明に係る架空送電線保守用活線工具は、絶縁操作棒の先端部に固着した固定側アーム部材と、該固定側アーム部材に軸支部を介して開閉可能に取り付けた可動側アーム部材とによって挟持アーム部材を構成し、該可動側アーム部材をバネにより閉方向に常時付勢し、該バネの張力に抗して開放側絶縁ロープを牽引することで当該可動側アーム部材を開状態にする外装タイプの駆動部を有し、前記駆動部には、可動側アーム部材の開状態を阻止するための固定側絶縁ロープを備えている。【選択図】図１
2010239783.tif 000002
【特許請求の範囲】
【請求項１】
絶縁操作棒の先端部に固着した固定側アーム部材と、該固定側アーム部材に軸支部を介して開閉可能に取り付けた可動側アーム部材とによって挟持アーム部材を構成し、該可動側アーム部材をバネにより閉方向に常時付勢し、該バネの張力に抗して開放側絶縁ロープを牽引することで当該可動側アーム部材を開状態にする外装タイプの駆動部を有し、前記駆動部には、可動側アーム部材の開状態を阻止するための固定側絶縁ロープを備えたことを特徴とする架空送電線保守用活線工具。
【請求項２】
前記駆動部は、可動側アーム部材の軸支部側基端部の一方に設けた開放側操作レバーに、前記開放側絶縁ロープを取り付けて成り、該開放側絶縁ロープを牽引して、可動側アーム部材を開状態にする請求項１記載の架空送電線保守用活線工具。
【請求項３】
前記駆動部は、可動側アーム部材の軸支部側基端部の他方に設けた固定側操作レバーに、前記閉方向付勢用のバネと共に前記固定側絶縁ロープを取り付けて成り、該固定側絶縁ロープを牽引して、可動側アーム部材の開状態を阻止する請求項１または２記載の架空送電線保守用活線工具。
【請求項４】
前記固定側絶縁ロープは、絶縁操作棒の基端部側に設けられた開閉固定レバー式の止め具に挿入され、該止め具のレバー閉動によって当該固定側絶縁ロープを固定可能とした請求項１乃至３のいずれかに記載の架空送電線保守用活線工具。
【請求項５】
前記固定側絶縁ロープは、固定側操作レバーにクッションバネを介して取り付けられ、該クッションバネは、固定側絶縁ロープを牽引する際に、可動側アーム部材の固定側アーム部材側への閉動を緩和させる請求項１乃至４のいずれかに記載の架空送電線保守用活線工具。
【請求項６】
絶縁操作棒は、先端部側面に係合孔を備えた外筒と、該外筒内に挿入され、後端部側面に付勢ピンを備えた内筒とから成り、外筒から内筒を所定の長さに引き出した際に、当該内筒の付勢ピンを、外筒の係合孔に係合可能として成るピンロック機構を備えた請求項１乃至５のいずれかに記載の架空送電線保守用活線工具。
【発明の詳細な説明】
【技術分野】
【０００１】
本発明は、架空送電線鉄塔の、例えば、充電部付近に付着している農業用ビニール等の飛来物や営巣等を除去するために使用する、架空送電線保守用活線工具に関するものである。
【背景技術】
【０００２】
架空送電線鉄塔の架空電線、柱上機器、碍子、充電部付近等に、例えば、凧や凧糸、農業用ビニール、洗濯物、枯枝等の飛来物が絡まった状態で付着した場合や、鳥の営巣材が付着した場合、これらの付着物による電気事故の発生を防止するために、通電停止の状態で、これらの付着物の除去作業を行うのが原則である。
【０００３】
しかし、付着物の付着状況から、これが電気事故に至る可能性が高く、且つ、通電停止調整に時間を要する場合には、活線の状態でこれらの付着物を除去することが望まれている。
【０００４】
このため、従来においては、付着物除去性能を有する既存の工具として、例えば、特許文献１に開示されているように、円筒形の外装と、絶縁操作棒内部の駆動軸とで工具先端のはさみ部を開閉操作する、高所作業用セイフティハンドなる技術が存在する。
【先行技術文献】
【特許文献】
【０００５】
【特許文献１】特許第３６５７７０４号公報
【発明の概要】
【発明が解決しようとする課題】
【０００６】
しかしながら、特許文献１のような従来における技術においては、駆動軸が絶縁操作棒の内部に内装されていて、外部からは駆動軸の状況を視認し且つ把握することができない。
【０００７】
また、使用前の駆動軸の点検も不可能であるため、その安全性が保障されず、活線での作業中に電気事故に繋がる危険性があり、そのために、平成１６年１２月以降は、活線での使用が禁止されているのが実情である。
【０００８】
さらに、はさみ部により付着物を挟んでこれを除去する際に、視認不可能である駆動軸の不具合の看過により、はさみ部が不用意に開いてしまう虞もある。
【０００９】
そこで、本発明は如上のような従来存した諸事情に鑑み創出されたもので、架空送電線鉄塔の、例えば、充電部付近に付着した付着物を除去するに際し、外部から駆動軸の状況を視認し且つ把握することができ、活線での作業中における電気事故の発生を確実に阻止することができると共に、付着物を挟んでこれを除去する際に、当該付着物を不用意に落下させてしまう事態の発生を未然に防止できる架空送電線保守用活線工具を提供することを目的とする。
【課題を解決するための手段】
【００１０】
本発明に係る架空送電線保守用活線工具は、絶縁操作棒の先端部に固着した固定側アーム部材と、該固定側アーム部材に軸支部を介して開閉可能に取り付けた可動側アーム部材とによって挟持アーム部材を構成し、該可動側アーム部材をバネにより閉方向に常時付勢し、該バネの張力に抗して開放側絶縁ロープを牽引することで当該可動側アーム部材を開状態にする外装タイプの駆動部を有し、前記駆動部には、可動側アーム部材の開状態を阻止するための固定側絶縁ロープを備えたことで、上述した課題を解決した。
【００１１】
また、前記駆動部は、可動側アーム部材の軸支部側基端部の一方に設けた開放側操作レバーに、前記開放側絶縁ロープを取り付けて成り、該開放側絶縁ロープを牽引して、可動側アーム部材を開状態にすることで、同じく上述した課題を解決した。
【００１２】
さらに、前記駆動部は、可動側アーム部材の軸支部側基端部の他方に設けた固定側操作レバーに、前記閉方向付勢用のバネと共に前記固定側絶縁ロープを取り付けて成り、該固定側絶縁ロープを牽引して、可動側アーム部材の開状態を阻止することで、同じく上述した課題を解決した。
【００１３】
また、前記固定側絶縁ロープは、絶縁操作棒の基端部側に設けられた開閉固定レバー式の止め具に挿入され、該止め具のレバー閉動によって当該固定側絶縁ロープを固定可能としたことで、同じく上述した課題を解決した。
【００１４】
加えて、前記固定側絶縁ロープは、固定側操作レバーにクッションバネを介して取り付けられ、該クッションバネは、固定側絶縁ロープを牽引する際に、可動側アーム部材の固定側アーム部材側への閉動を緩和させることで、同じく上述した課題を解決した。
【００１５】
また、絶縁操作棒は、先端部側面に係合孔を備えた外筒と、該外筒内に挿入され、後端部側面に付勢ピンを備えた内筒とから成り、外筒から内筒を所定の長さに引き出した際に、当該内筒の付勢ピンを、外筒の係合孔に係合可能として成るピンロック機構を備えたことで、同じく上述した課題を解決した。
【発明の効果】
【００１６】
本発明によれば、架空送電線鉄塔の、例えば、充電部付近に付着した付着物を除去するに際し、外部から駆動軸の状況を視認し且つ把握することができ、活線での作業中における電気事故の発生を確実に阻止することができると共に、付着物を挟んでこれを除去する際に、当該付着物を不用意に落下させてしまう事態の発生を未然に防止することができる。
【００１７】
すなわち、絶縁操作棒の先端部に固着した固定側アーム部材と、該固定側アーム部材に軸支部を介して開閉可能に取り付けた可動側アーム部材とによって挟持アーム部材を構成し、該可動側アーム部材をバネにより閉方向に常時付勢し、該バネの張力に抗して開放側絶縁ロープを牽引することで当該可動側アーム部材を開状態にする外装タイプの駆動部を有しているので、外部から駆動軸の状況を視認し且つ把握することができ、活線での作業中における電気事故の発生を確実に阻止することができる。
【００１８】
また、前記駆動部には、可動側アーム部材の開状態を阻止するための固定側絶縁ロープを備えたので、固定側アーム部材と可動側アーム部材によって付着物を挟んでこれを除去する際に、固定側絶縁ロープを牽引しておくことで、当該可動側アーム部材が不用意に開くことなく、確実に閉塞固定されて、付着物を不用意に落下させてしまう事態の発生を確実に防止できる。
【００１９】
さらに、前記駆動部は、可動側アーム部材の軸支部側基端部の一方に設けた開放側操作レバーに、前記開放側絶縁ロープを取り付けて成り、該開放側絶縁ロープを牽引して、可動側アーム部材を開状態にするので、活線の状態での付着物の除去作業が用意で且つ安全に行える。
【００２０】
このように、作業員が両手で絶縁操作棒をしっかりと支えた状態で、片手で開放側絶縁ロープを牽引すれば、固定側アーム部材に対して可動側アーム部材を容易に開閉できるため、高所における狭い場所での作業員による付着物の除去作業を安全に行なうことができる。
【００２１】
そして、上記した挟持アーム部材は、外装タイプの駆動部により開閉するので、従来のように、はさみ部を開閉操作する所定の駆動軸を、円筒形の外装の内部に設ける必要がない。
【００２２】
そのため、挟持アーム部材を開閉する機構が、絶縁操作棒の外側に存在することとなり、工具自体の絶縁性能を目で確認する使用前点検を容易に実施することができる。
【００２３】
具体的には、工具自体の絶縁性能を目で確認するだけでなく、工具を手で触ったり、ウエスで拭いたりすることで、工具への傷、埃、水分等の付着状態を確認できることから、工具の使用前点検を迅速且つ確実に実施できるのである。
【００２４】
しかも、挟持アーム部材を開閉する機構を、操作棒の内側に設ける必要がないため、スペースの制約を受けることがなく、種々の機構の駆動部を選択することができる。
【００２５】
さらに、挟持アーム部材を開閉する機構を、スペースの制約を受けることなく選択できることから、活線工具自体の製造コストを、低く抑えることができる。
【００２６】
また、駆動部は、バネにより閉方向に常時付勢されている挟持アーム部材を、該バネの付勢力に抗して開状態にするので、駆動部を解放することにより、挟持アーム部材が自然に閉じ、この挟持アーム部材による付着物の掴み操作を、誰もが簡単に行うことができる。
【００２７】
この他、前記駆動部は、可動側アーム部材の軸支部側基端部の他方に設けた固定側操作レバーに、前記閉方向付勢用のバネと共に前記固定側絶縁ロープを取り付けて成り、該固定側絶縁ロープを牽引して、可動側アーム部材の開状態を阻止するので、固定側アーム部材と可動側アーム部材によって付着物を挟んでこれを除去する際に、固定側絶縁ロープを牽引しておくことで、当該可動側アーム部材が不用意に開くことなく、確実に閉塞固定されて、付着物を不用意に落下させてしまう事態の発生を確実に防止できる。
【００２８】
また、前記固定側絶縁ロープは、絶縁操作棒の基端部側に設けられた開閉固定レバー式の止め具に挿入され、該止め具のレバー閉動によって当該固定側絶縁ロープを固定可能としたので、固定側絶縁ロープの牽引状態を、手を介さずに常に維持しておくことができ、固定側アーム部材と可動側アーム部材による付着物の挟持除去を確実且つ迅速に行える。
【００２９】
さらに、前記固定側絶縁ロープは、固定側操作レバーにクッションバネを介して取り付けられ、該クッションバネは、固定側絶縁ロープを牽引する際に、可動側アーム部材の固定側アーム部材側への閉動を緩和させるので、固定側絶縁ロープの過度な牽引による当該固定側絶縁ロープに対する極度の負荷を抑え、さらに、固定側アーム部材と可動側アーム部材とによって挟まれている付着物に対するクッションにもなる。
【００３０】
また、絶縁操作棒は、先端部側面に係合孔を備えた外筒と、該外筒内に挿入され、後端部側面に付勢ピンを備えた内筒とから成り、外筒から内筒を所定の長さに引き出した際に、当該内筒の付勢ピンを、外筒の係合孔に係合可能として成るピンロック機構を備えているので、開放側絶縁ロープあるいは固定側絶縁ロープを強く引いた際に、外筒内に内筒が挿入されて、絶縁操作棒自体が縮んでしまう事態の発生を未然に防止することができる。
【図面の簡単な説明】
【００３１】
【図１】架空送電線保守用活線工具を使用して、鉄塔上の飛来物を除去している状態を示す斜視図である。
【図２】架空送電線保守用活線工具の構成を示す斜視図である。
【図３】架空送電線保守用活線工具の構成を示す平面図である。
【図４】架空送電線保守用活線工具の絶縁操作棒を、短縮した状態を示す平面図である。
【図５】挟持アーム部材における駆動部の構成の一例を示し、（ａ）は挟持アーム部材を閉じた状態の平面図、（ｂ）は挟持アーム部材を開いた状態の平面図である。
【図６】開閉固定レバー式の止め具の一例を示し、（ａ）は止め具を絶縁操作棒側に倒すことによって固定側絶縁ロープを固定した状態の平面図、（ｂ）は止め具を絶縁操作棒側から起こすことによって固定側絶縁ロープの固定を解放した状態の平面図である。
【図７】図６中（ａ）の、Ｘ−Ｘ断面図である。
【図８】ピンロック機構の一例を示し、（ａ）は引き伸ばし固定した状態の絶縁操作棒の一部省略の斜視図、（ｂ）は短縮させた状態の絶縁操作棒の一部省略の断面図、（ｃ）は引き伸ばし固定した状態の絶縁操作棒の一部省略の断面図である。
【発明を実施するための形態】
【００３２】
以下に、図面を参照して、本発明を実施するための形態を詳細に説明する。
【００３３】
本発明に係る架空送電線保守用活線工具は、図１乃至図４に示すように、絶縁操作棒１の先端部に、開閉可能に形成された一対の挟持アーム部材２を設けて形成されている。
【００３４】
この絶縁操作棒１は、強化プラスチック（ＦＲＰ）またはエポキシ樹脂や、不飽和ポリエステル等の熱硬化性プラスチック等の電気絶縁性材料を用いて製作されている。
【００３５】
一対の挟持アーム部材２の付着物Ｑを掴む部分は、その付着物Ｑをしっかりと保持するため、波形状となった滑り止め用のゴムを貼設している。
【００３６】
また、一対の挟持アーム部材２は、図５（ａ）・（ｂ）に示すように、絶縁操作棒１の先端部にボルト等によって固定されている固定側アーム部材２Ａと、該固定側アーム部材２Ａの基端部分に形成された矩形板部分に、軸支部４を介して開閉可能に取り付けた可動側アーム部材２Ｂとから構成されている。
【００３７】
この軸支部４としては、通常のステンレスボルトとナットを使用している。
【００３８】
可動側アーム部材２Ｂは、図５（ａ）・（ｂ）に示すように、外装タイプの駆動部３により開閉するものである。
【００３９】
すなわち、駆動部３は、可動側アーム部材２Ｂの軸支部４側基端部の一側に略直角方向に突設したアーム状の開放側操作レバー５に、例えば、クランプ部６を介して、開放側絶縁ロープ７を取り付けて成る。
【００４０】
また、駆動部３は、可動側アーム部材２Ｂの軸支部４側基端部の他側に略直角方向に突設したアーム状の固定側操作レバー８先端に、クッションバネ９と、例えば、クランプ部１０を介して、固定側絶縁ロープ１１を取り付けて成る。
【００４１】
さらに、図５（ａ）・（ｂ）に示すように、固定側操作レバー８の先端位置よりも若干内側の箇所には、可動側アーム部材２Ｂを閉方向に付勢するためのバネ１２の一端が接続されている。
【００４２】
そして、支持アーム部１３が、固定側アーム部材２Ａの基端部分に形成された矩形板部分に一体となって突設し、且つ絶縁操作棒１の後方に向けて延設されており、この支持アーム部１３の先端に、前記バネ１２の他端が接続されている。
【００４３】
この閉方向付勢用のバネ１２は、上記したクッションバネ９およびクランプ部１０と略並行となるように取り付けている。
【００４４】
そして、図５（ｂ）に示すように、作業者が開放側絶縁ロープ７を片手で牽引することにより、可動側アーム部材２Ｂは軸支部４を介して回動させられ、閉方向付勢用のバネ１２の張力に抗して開状態になるようにしている。
【００４５】
上記した開放側絶縁ロープ７および固定側絶縁ロープ１１は、強化プラスチック（ＦＲＰ）またはエポキシ樹脂や、不飽和ポリエステル等の熱硬化性プラスチック等により形成されている。
【００４６】
絶縁操作棒１は、外筒１４と、該外筒１４内に挿入された内筒１５とから成り、両筒１４，１５に亘って形成されたピンロック機構Ｒによって、両筒１４，１５の引き伸ばした状態が保持できるようにしている。
【００４７】
すなわち、ピンロック機構Ｒは、図８（ａ）乃至（ｃ）に示すように、絶縁操作棒１を、先端部側面に係合孔１６を備えた外筒１４と、該外筒１４内に挿入され、後端部側面に付勢ピン１７を備えた内筒１５とから構成されている。
【００４８】
この付勢ピン１７は、内筒１５の後端部側面に設けられた収容凹所１８の中にスプリング１９を介して挿入されている。
【００４９】
この付勢ピン１７は、円柱型に形成されている。また、付勢ピン１７の頭部は半球状となっており、この半球部分のみが、スプリング１９の付勢力によって収容凹所１８の外方に突出するようになっている。
【００５０】
一方、外筒１４の先端側側面には、前記付勢ピン１７の頭部を係合させるための、円形状の係合孔１６を備えている。
【００５１】
こうして、図８（ａ）・（ｃ）に示すように、外筒１４から内筒１５を所定の長さに引き出した際には、当該内筒１５の付勢ピン１７を、外筒１４の係合孔１６に係合させることで、両筒１４，１５の引き伸ばした状態が保持できるようにしている。
【００５２】
また、絶縁操作棒１を短縮する際には、外筒１４の係合孔１６に係合している付勢ピン１７の頭部をスプリング１９の付勢力に抗して指先等で外方から押し込みながら、内筒１５を外筒１４内部に向けて強制的に押し込む。すると、図８（ｂ）および図４に示すように、内筒１５は、外筒１４内にスライド挿入されて、全体の長さを短縮できるようにしている。
【００５３】
固定側絶縁ロープ１１の他端側は、図１乃至図４に示すように、その中間部分が、外筒１４先端側に前後一対となって設けた垂れ下がり防止用のリング部２９ａ，２９ｂに挿入されている。
【００５４】
そして、図６（ａ）・（ｂ）および図７に示すように、リング部２９ａ，２９ｂを通過した固定側絶縁ロープ１１の中間部分は、絶縁操作棒１の外筒１４の略中間部に設けられた開閉固定レバー式の止め具２１に挿入されている。
【００５５】
この開閉固定レバー式の止め具２１は、図６（ａ）・（ｂ）および図７に示すように、絶縁操作棒１の外筒１４の略中間に、筒状となった前後一対のジョイント部２２ａ，２２ｂを介して、コ字枠状のブラケット２２が取り付けられている。
【００５６】
このブラケット２２のコ字枠開放側から内部に、止め具２１の一端の幅広な基部２３が挿入され、ブラケット２２、基部２３それぞれを貫通する支持軸２４によって、ブラケット２２に対して止め具２１自体が揺動自在に軸支されている。
【００５７】
このとき、止め具２１の他端に一体形成された細長突起状のレバー２５が、絶縁操作棒１の後方側に向けて突出している。
【００５８】
また、止め具２１の基部２３には、円弧状に沿うようにして三角歯形状の歯部２６が形成されており、該歯部２６は、絶縁操作棒１の外筒１４側面に対向している。
【００５９】
この歯部２６と、絶縁操作棒１に沿って配置されたブラケット２２の内壁面との間に、固定側絶縁ロープ１１を通すための隙間が形成されている。
【００６０】
この隙間は、止め具２１の歯部２６が絶縁操作棒１ブラケット２２の内壁面に向けて倒れている状態（図６（ａ）参照）では、固定側絶縁ロープ１１の太さよりも若干小さくなっている。
【００６１】
この止め具２１が倒れている状態（図６（ａ）参照）において、固定側絶縁ロープ１１を作業員側（絶縁操作棒１の基端部側）に牽引したときには、その方向に固定側絶縁ロープ１１を移動できる状態となっている。
【００６２】
しかし、固定側絶縁ロープ１１を絶縁操作棒１の先端部側に牽引したときには、その方向に固定側絶縁ロープ１１を移動できない状態となっている。
【００６３】
一方、止め具２１の歯部２６が絶縁操作棒１ブラケット２２の内壁面から引き起こされている状態（図６（ｂ）参照）では、隙間の間隔は、固定側絶縁ロープ１１の太さよりも若干大きくなっている。
【００６４】
この止め具２１が引き起こされている状態（図６（ｂ）参照）では、固定側絶縁ロープ１１を絶縁操作棒１の先端部側に牽引したときにも、その方向に固定側絶縁ロープ１１を移動できる状態となっている。
【００６５】
また、支持軸２４には、弦巻バネ２７の中央コイル部分が巻装され、該弦巻バネ２７の一端はブラケット２２の縁部に掛けられ、弦巻バネ２７の他端は基部２３の片面下側に突設した突起状のフック部２８に掛けられている（図７参照）。
【００６６】
こうして、止め具２１は、弦巻バネ２７の巻張力によって、ブラケット２２の内壁面に向けて常に倒れた状態となる。
【００６７】
さらに、固定側絶縁ロープ１１の後端側は、外筒１４後端側に設けた垂れ下がり防止用のリング部２９ｃに挿入された後、外筒１４の後方側にあるグリップ部分３２に巻回している。
【００６８】
このグリップ部分３２は、スライド移動できるように外筒１４に取り付けられ
ている。
【００６９】
また、リング部２９ａ，２９ｂ，２９ｃは、絶縁操作棒１の外筒に取り付けた筒状のジョイント部の端部に一体的に形成されている。
【００７０】
一方、開放側絶縁ロープ７の後端側は、絶縁操作棒１の外筒１４の略中間にあるリング部２９ｂを通過した後、フリーな状態になっている。
【００７１】
また、図４に示すように、絶縁操作棒１の外筒１４の先端側と基端部側にかけては、肩掛けベルト３１が取り付けられている。
【００７２】
次に、以上のように構成された架空送電線保守用活線工具についての使用、動作の一例について説明する。
【００７３】
先ず、絶縁操作棒１のピンロック機構Ｒによって、外筒１４から内筒１５を引き伸ばした状態を保持させておく。
【００７４】
そして、作業員は、絶縁操作棒１の肩掛けベルト３１を肩に掛けて鉄塔Ｐに登り、図１に示すように、左手で絶縁操作棒１の所定部分を握り、右手で開放側絶縁ロープ７を掴む。
【００７５】
尚、図１は、鉄塔Ｐに付着している飛来物を除去している状態を示している。
【００７６】
絶縁操作棒１においては、弦巻バネ２７の巻張力に任せてレバー２５を内方に倒し、止め具２１の基部２３にある歯部２６とブラケット２２の内壁面とによって、固定側絶縁ロープ１１を挟持させておく。このとき、固定側絶縁ロープ１１においては、可動側アーム部材２Ｂが固定側アーム部材２Ａから離間して、挟持アーム部材２を開状態にすることができるような緩みを有するようする。
【００７７】
この状態で、付着物Ｑを挟持アーム部材２により掴める位置まで接近してから、開放側絶縁ロープ７を絶縁操作棒１の後方側に牽引すると、図５（ｂ）に示すように、可動側アーム部材２Ｂが固定側アーム部材２Ａから離間し、挟持アーム部材２が開状態となる。
【００７８】
その後、図１、図５（ａ）に示すように、開放側絶縁ロープ７から手を離すか、開放側絶縁ロープ７を緩めるかして、挟持アーム部材２を閉方向付勢用のバネ１２の付勢により閉塞させ、挟持アーム部材２により付着物Ｑを掴み取る。
【００７９】
その後、固定側絶縁ロープ１１を作業員側（絶縁操作棒１の基端部側）に牽引し、固定側絶縁ロープ１１の緩みを無くした状態にする。そして、止め具２１により、固定側絶縁ロープ１１が絶縁操作棒１の先端部側へ移動することを阻止して、挟持アーム部材２が閉じている状態を維持させるのである。
【００８０】
尚、挟持アーム部材２から付着物Ｑを外して、所定の場所において付着物Ｑを廃棄するときは、図６（ｂ）に示すように、弦巻バネ２７の巻張力に抗して止め具２１のレバー２５を手で持って外方に引き起こす。
【００８１】
そして、固定側絶縁ロープ１１を絶縁操作棒１の先端部側に移動できる状態とする。この状態において、開放側絶縁ロープ７を絶縁操作棒１の基端部側に牽引し、図５（ｂ）に示すように、可動側アーム部材２Ｂを固定側アーム部材２Ａから離し、挟持アーム部材２を開状態にすることで、当該挟持アーム部材２から付着物Ｑを外すのである。
【産業上の利用可能性】
【００８２】
本発明に係る架空送電線保守用活線工具は、架空送電線鉄塔の、例えば、充電部付近に付着している飛来物や営巣等の付着物を除去する他に、感電の危険性のある種々の送電設備等の保守用活線工具として、幅広く利用することができる。
【符号の説明】
【００８３】
Ｐ…鉄塔
Ｑ…付着物
Ｒ…ピンロック機構
１…絶縁操作棒
２…挟持アーム部材
２Ａ…固定側アーム部材
２Ｂ…可動側アーム部材
３…駆動部
４…軸支部
５…開放側操作レバー
６…クランプ部
７…開放側絶縁ロープ
８…固定側操作レバー
９…クッションバネ
１０…クランプ部
１１…固定側絶縁ロープ
１２…バネ
１３…支持アーム部
１４…外筒
１５…内筒
１６…係合孔
１７…付勢ピン
１８…収容凹所
１９…スプリング
２１…止め具
２２…ブラケット
２２ａ…ジョイント部
２２ｂ…ジョイント部
２３…基部
２４…支持軸
２５…レバー
２６…歯部
２７…弦巻バネ
２８…フック部
２９ａ…リング部
２９ｂ…リング部
２９ｃ…リング部
３１…肩掛けベルト
３２…グリップ部分
【図１】
2010239783.tif 000003
【図２】
2010239783.tif 000004
【図３】
2010239783.tif 000005
【図４】
2010239783.tif 000006
【図５】
2010239783.tif 000007
【図６】
2010239783.tif 000008
【図７】
2010239783.tif 000009
【図８】
2010239783.tif 000010